(57)【要約】【課題】  ビルドアップカメラユニットの構成が異なっても複数本を用意する必要がなく、また、固定ボルト等の付属品の管理も面倒でないマルチフォーカスデマンド支持アームを提供すること。【解決手段】  マルチフォーカスデマンド支持アームは、ベース板２と、前記ベース板の一側面に設けられ中央に形成された固定用のボルト穴３ａを有するデマンド側菊座３と、前記ベース板の他側面にならべて設けたカメラ側菊座４、５と、このカメラ側菊座のそれぞれの中央に形成された固定用のボルト穴に螺合する各固定ボルト１４，１５と、前記ベース板の前記デマンド側菊座および前記カメラ側菊座の間で前記ベース板から突出するボスを有し、前記各固定ボルトの少なくとも１つを螺合して保持する螺合保持部６，７，８と、を備える構成とした。【選択図】      図１
2006229783.tif 000002
【特許請求の範囲】
【請求項１】
カメラ撮影装置を設置してレンズ部をカメラヘッドケース内に収納して用いるビルドアップカメラユニットに使用されるフォーカス操作デマンドを設置するためのマルチフォーカスデマンド支持アームであって、
前記フォーカス操作デマンドの操作位置と前記ビルドアップカメラユニットに固定される固定位置にわたる長さに形成されたベース板と、
このベース板の前記操作位置側で、前記フォーカス操作デマンドの有する菊座に対応して前記ベース板の一側面に設けられ、固定用のボルト穴を有するデマンド側菊座と、
前記ベース板の前記固定位置側で、前記ビルドアップカメラユニット側に設置されている菊座に対応して前記ベース板の他側面に、ならべて設けた複数のカメラ側菊座と、
このカメラ側菊座のそれぞれの中央に形成された固定用のボルト穴に螺合する各固定ボルトと、
前記ベース板の前記デマンド側菊座および前記カメラ側菊座の間で前記ベース板から突出するボスを有し、前記各固定ボルトの少なくとも１つを螺合して仮に保持する螺合保持部と、
を備えることを特徴とするマルチフォーカスデマンド支持アーム。
【請求項２】
前記カメラ側菊座は、前記ベース板の長手方向における中央線上に所定間隔を空けて配置されたカメラ側第１菊座およびカメラ側第２菊座を備え、
前記デマンド側菊座は、前記ベース板の長手方向における中央線上に一つ以上配置されたことを特徴とする請求項１に記載のマルチフォーカスデマンド支持アーム。
【請求項３】
前記螺合保持部は、前記ベース板の長手方向における中央線上に３箇所設けられ、前記デマンド側菊座に近い箇所の前記ボスを前記ベース板の前記他側面から突出させて配置し、それ以外の箇所のボスを、前記ベース板の前記一側面から突出させて配置したことを特徴とする請求項１に記載のマルチフォーカスデマンド支持アーム。
【請求項４】
前記ベース板は、所定位置を折り曲げてへの字形状に形成したことを特徴とする請求項１に記載のマルチフォーカスデマンド支持アーム。
【発明の詳細な説明】
【技術分野】
【０００１】
本発明は、カメラ撮影装置を設置してカメラヘッドケース内にレンズ部を収納して使用するビルドアップカメラユニットで用いられるフォーカス操作デマンドを設置するためのマルチフォーカスデマンド支持アームに関する。
【背景技術】
【０００２】
一般に、ハンディタイプのカメラ撮影装置は、スタジオ内やスタジアム等で固定して使用する場合、ビルドアップカメラユニット内に設定して使用することがある。このビルドアップカメラユニットは、ハンディタイプのカメラ撮影装置を支持する支持フレームや、その支持フレームを固定する三脚や、カメラ撮影装置のレンズ部を収納するカメラヘッドケースあるいは、カメラ撮影装置の映像を表示するビューファインダ等が接続できるように構成されているものである。このビルドアップカメラユニットは、カメラ撮影装置のフォーカスを操作する場合には、レンズ部がカメラヘッドケース内に配置されることから、カメラ撮影装置の外部に配置するフォーカス操作デマンドを介してレンズ部のフォーカス操作を行っているのが現状である。
【０００３】
そして、フォーカス操作デマンドは、支持フレームに固定されるフォーカスデマンド支持アームを介して設置されており、カメラ撮影装置をビルドアップカメラユニットに設置するときに、併せてフォーカス操作デマンドの設置も行われている。
【０００４】
フォーカス操作デマンドを図７に示す。図７に示すように、フォーカス操作デマンド５０は、筒形状の操作ハンドル５１と、この操作ハンドル５１を回動自在に支持する支持本体５２と、この支持本体５２の側面に設けたコネクタ５５と、支持本体５２の一端側に設けた菊座５３と、この菊座５３を用いて固定するときに使用される固定ボルト５４とを有している。
【０００５】
そして、フォーカス操作デマンド５０は、その菊座５３が、フォーカスデマンド支持アーム６０に設けた菊座６２と合致した状態で固定ボルト５４によりフォーカスデマンド支持アーム６０に設置される。そして、フォーカスデマンド支持アーム６０に設置されたフォーカス操作デマンド５０は、カメラ撮影装置の操作ケーブルを支持本体５２の側面に設けたコネクタ５５に接続した状態で、操作ハンドル５１を所定角度回転させる操作を行い、カメラ撮影装置のレンズ部のフォーカス制御を行なっている（非特許文献１）。
【０００６】
なお、フォーカスデマンド支持アーム６０は、金属板で形成されたベース板６１と、このベース板６１の先端側および後端側に設けた菊座６２，６３とを備えており、カメラ撮影装置のレンズ部の付属品として使用されている。
【非特許文献１】キャノン株式会社  キャノン放送用レンズ総合カタログ２００４年６月現在「０６０４ＳＺ２  ００１２３１０１」  第５頁  レンズシステム基本構成、「丸６」フォーカスデマンド
【発明の開示】
【発明が解決しようとする課題】
【０００７】
しかし、従来のフォーカス操作デマンドを支持するフォーカスデマンド支持アームの構成では、以下に示すような問題点が存在した。
フォーカス操作デマンドは、カメラ撮影装置のレンズ部の付属品であるため、各カメラメーカにより構成が異なっており、特に、フォーカスデマンド支持アームに固定するときの菊座の構成が異なるため、複数のカメラメーカのものを取り替えて使用する場合に、各カメラメーカに適合するフォーカスデマンド支持アームを用意する必要があった。
【０００８】
また、フォーカスデマンド支持アームは、フォーカス操作デマンドを固定するための固定ボルトと、カメラ撮影装置の支持ケース側に固定するための固定ボルト等の付属品を備えているため、その管理が面倒であった。
【０００９】
本発明は、前記した問題を解決するために創案されたものであり、ビルドアップカメラユニットの構成（カメラメーカ）等が異なっても複数本を用意する必要がなく、また、固定ボルト等の付属品の管理も面倒でないマルチフォーカスデマンド支持アームを提供することを目的とする。
【課題を解決するための手段】
【００１０】
前記した目的を達成するため、本発明に係るマルチフォーカスデマンド支持アームは、以下のような構成とした。すなわち、マルチフォーカスデマンド支持アームは、カメラ撮影装置を設置してレンズ部をカメラヘッドケース内に収納して用いるビルドアップカメラユニットに使用されるフォーカス操作デマンドを設置するためのマルチフォーカスデマンド支持アームであって、前記フォーカス操作デマンドの操作位置と前記ビルドアップカメラユニットに固定される固定位置にわたる長さに形成されたベース板と、このベース板の前記操作位置側で、前記フォーカス操作デマンドの有する菊座に対応して前記ベース板の一側面に設けられ、固定用のボルト穴を有するデマンド側菊座と、前記ベース板の前記固定位置側で、前記ビルドアップカメラユニット側に設置されている菊座に対応して前記ベース板の他側面に、ならべて設けた複数のカメラ側菊座と、このカメラ側菊座のそれぞれの中央に形成された固定用のボルト穴に螺合する各固定ボルトと、前記ベース板の前記デマンド側菊座および前記カメラ側菊座の間で前記ベース板から突出するボスを有し、前記各固定ボルトの少なくとも１つを螺合して仮に保持する螺合保持部と、を備える構成とした。
【００１１】
このように構成したマルチフォーカスデマンド支持アームは、２つ以上設けたカメラ側菊座のいずれかを選択してビルドアップカメラユニット側の菊座に噛合させた状態で各固定ボルトのいずれかにより固定する。そして、使用しなかった他の固定ボルトは、取り外して、螺合保持部に螺合させ仮に保持した状態とする。そして、デマンド側菊座にフォーカス操作デマンドの菊座を噛合させて固定ボルトで固定してフォーカス操作デマンドを設置する。なお、マルチフォーカスデマンド支持アームは、ビルドアップカメラユニットの固定位置に配置される菊座が異なる構成であるときには、それに対応する他のカメラ側菊座を噛合して固定ボルトで固定する。また、デマンド側菊座についても２つ以上ならべてベース板に設ける構成としても構わない。
【００１２】
また、前記マルチフォーカスデマンド支持アームは、前記カメラ側菊座が、前記ベース板の長手方向における中央線上に所定間隔を空けて配置されたカメラ側第１菊座およびカメラ側第２菊座を備え、前記デマンド側菊座が、前記ベース板の長手方向における中央線上に一つ以上配置されたものである。
【００１３】
このように構成したマルチフォーカスデマンド支持アームは、カメラ側第１菊座またはカメラ側第２菊座のいずれを使用しても、フォーカス操作デマンドの位置が常に一定の高さに設定することができる。
【００１４】
また、マルチフォーカスデマンド支持アームは、前記螺合保持部は、前記ベース板の長手方向における中央線上に３箇所設けられ、前記デマンド側菊座に近い箇所の前記ボスを前記ベース板の他側面から突出させて配置し、それ以外の箇所のボスを、前記ベース板の一側面から突出させて配置した構成とした。
【００１５】
このように構成したマルチフォーカスデマンド支持アームは、例えば、フォーカス操作デマンドに付属品として固定ボルトを備えているので、その付属品の固定ボルトによりデマンド側菊座とフォーカス操作デマンドとを固定し、また、必要のない固定ボルトあるいは取付け取外し作業中に螺合保持部に螺合して保持することで付属品の紛失を抑制できる。
【００１６】
さらに、マルチフォーカスデマンド支持アームは、所定位置を折り曲げて「ヘ」の字形状に形成した構成とした。
このように構成することにより、マルチフォーカスデマンド支持アームは、フォーカス操作デマンドの設置位置を適切に確保して、かつ、ビルドアップカメラユニットの他の機能を扱うときの邪魔になり難い配置となる。
【発明の効果】
【００１７】
本発明に係るマルチフォーカスデマンド支持アームは、以下に示す優れた効果を奏するものである。
マルチフォーカスデマンド支持アームは、使用するレンズの各カメラメーカが異なることで、構成の異なる菊座を備えていた場合に、予め対応するデマンド側菊座あるいはカメラ側菊座を備えているため、フォーカス操作デマンドをほぼ一定の操作位置に設置することが可能となる。また、マルチフォーカスデマンド支持アームは、各メーカに対応して複数備える必要がなく、ビルドアップカメラユニットのセッティングの際に部品点数が少なくて済む。
【００１８】
マルチフォーカスデマンド支持アームは、ベース板の長手方向における中心線上に各菊座が配置されることで、ビルドアップカメラユニットの菊座に対応して固定位置が変わっても、フォーカス操作デマンドを常に所定の高さ位置に設置することができる。そのため、フォーカス操作デマンドは、カメラ撮影装置側の機種を交換した場合であっても、微妙なピント合わせ等、普段の習熟した感覚で常に違和感無く操作することができる。
【００１９】
マルチフォーカスデマンド支持アームは、螺合保持部をベース板に３箇所備えているため、使用しない菊座の固定ボルト、または、取付けおよび取外し作業中に各固定ボルトを螺合保持部に螺合させて保持することで、フォーカス操作デマンドの取付けおよび取外しの作業性能に優れ、かつ、備品の紛失する原因をなくすと共に、撮影中に固定ボルトがガタついて不要な雑音を生じることがない。
【００２０】
マルチフォーカスデマンド支持アームは、「へ」の字形状に形成されているため、フォーカス操作デマンドの設置位置を適切に確保して、かつ、ビルドアップカメラユニットの他の機能を扱うときの邪魔になり難い配置となる。
【発明を実施するための最良の形態】
【００２１】
以下、図面を参照して本発明に係るマルチフォーカスデマンド支持アームの最良の形態について説明する。図１はマルチフォーカスデマンド支持アームの全体を示す斜視図、図２（ａ）、（ｂ）、（ｃ）はマルチフォーカスデマンド支持アームを示すそれぞれ正面図、平面図、背面図、図３はマルチフォーカスデマンド支持アームを設置した状態を示す斜視図である。
【００２２】
図１に示すように、マルチフォーカスデマンド支持アーム１は、フォーカス操作デマンド４０を支持して設置するためのアームである。そして、マルチフォーカスデマンド支持アーム１は、図３に示すように、ビルドアップカメラユニット２０に設置されて使用するものである。このマルチフォーカスデマンド支持アーム１は、所定形状に形成されたベース板２と、このベース板２の一端部でかつ一側面に形成したデマンド側菊座３と、ベース板２の他端部でかつ他側面に形成したカメラ側第１菊座４、および、カメラ側第２菊座５と、この両菊座４，５の中央に形成したボルト穴４ａ，５ａにそれぞれ螺合する第２固定ボルト１４、第３固定ボルト１５と、デマンド側菊座３およびカメラ側第１菊座４との間でベース板２に設けた各固定ボルト１４，１５を螺合して保持する第１螺合保持部６、第２螺合保持部７および第３螺合保持部８と、を備えている。
【００２３】
なお、フォーカス操作デマンド４０は、筒形状の操作ハンドル４１と、この操作ハンドル４１を回動自在に支持する支持本体４２と、この支持本体４２の側面に設けたコネクタ４４と、支持本体４２の一端側に設けた菊座４３と、この菊座４３に形成されたボルト穴に螺合して固定するための固定ボルト４５と、を備えている。
また、ここでいうビルドアップカメラユニット２０は、ハンディタイプのカメラ撮影装置３０を設置して用いるものであれば、カメラ撮影装置３０が固定されたものや、着脱できる構成のもの等、その構成を限定されるものではない。さらに、ここで使用されるカメラ撮影装置３０は、被写体の映像を撮影してビデオテープ、フィルム、ハードディスク、光ディスク、あるいは磁気ディスク等の記憶媒体に記憶することができるものである。
【００２４】
ベース板２は、フォーカス操作デマンド４０の操作位置（予め設定された支持フレーム２１の後方位置）と、ビルドアップカメラユニット２０に固定される固定位置（支持フレーム２１の菊座２１Ａの位置）とにわたって形成されており、ここでは、ほぼ中央から折り曲げた「へ」（「く」の字形状でもよい）の字形状に形成されている。このベース板２は、各菊座３，４，５の直径より大きな一定の板幅で形成されると共に、所定の厚みを有する金属板で形成されている。なお、このベース板２は、例えば、折り曲げ角度を１２０度として形成され、その折り曲げ中心からデマンド側菊座３の板長さを１０としたときに、カメラ側第１菊座４およびカメラ側第２菊座５側の板長さを１６の割合で形成されている。
【００２５】
このベース板２は、フォーカス操作デマンド４０を設置して操作するときに支障のない強度を備える例えば、金属であることが好ましいが、所定の強度を備えていれば金属以外の例えば合成樹脂であっても構わない。また、ベース板２は、フォーカス操作デマンド４０が適切に操作できる操作範囲内に設置できれば、特にその長さ、形状を限定されるものではない。
【００２６】
デマンド側菊座３は、その中央にボルト穴３ａが形成されており、ベース板２の長手方向における中心線Ｌ上に配置され、ビス等によりベース板２の一側面に固定されている。このデマンド側菊座３は、所定の環状幅において凹凸を所定のピッチで繰り返した歯合部３ｂを備えている。また、デマンド側菊座３が固定されたベース板２の他面側には、ボルト穴３ａが貫通して形成されている。そして、デマンド側菊座３は、ここでは、ベース板２に一つを配置した構成としているが、例えば、２つあるいは３つをベース板２に設ける構成であっても構わない。
【００２７】
カメラ側第１菊座４およびカメラ側第２菊座５は、各固定ボルト１４，１５，４５を仮に保持するためのものであり、ここでは、ベース板２の長手方向における中心線Ｌ上に所定間隔をあけた状態でビス等によりベース板２の他側面に固定されている。カメラ側第１菊座４およびカメラ側第２菊座５は、それぞれ所定の環状幅において形成されている凹凸を所定のピッチで繰り返した噛合部４ｂ，５ｂ、または、環状幅の寸法、あるいは、凹凸の形状が異なるものであり、例えば、カメラ側第１菊座４がＡ社メーカ用の機材と対応する形状に形成され、また、カメラ側第２菊座５がＢ社メーカ用の機材と対応する形状に形成されている。なお、各菊座４，５の設置間隔は、相手側の菊座２１Ａ（図４参照）に噛合させるときに邪魔にならないように設定されており、例えば、５ｍｍ以上であり、ここでは１０ｍｍとしている。カメラ側第１菊座４およびカメラ側第２菊座５が固定されたベース板２の他面側には、ボルト穴４ａ，５ａが貫通して形成されている。
【００２８】
図２に示すように、第１螺合保持部６、第２螺合保持部７、第３螺合保持部８は、ここでは、ベース板２の中心線Ｌ上に所定間隔を空けて配置されており、それぞれ内部に雌ネジが形成されている。デマンド側菊座３に近い位置に配置された第１螺合保持部６は、ベース板２の他側面から突出するボス６ａを備えている。また、第２螺合保持部７および第３螺合保持部８は、第１螺合保持部６とは反対側となるベース板２の一側面に突出するボス７ａ，８ａをそれぞれ備えている。なお、各螺合保持部６，７，８の配置間隔は、各固定ボルト１４，１５（４５）を螺合して保持したときに、各固定ボルト１４，１５（４５）のつまみが互いに接触しないように配置されている。また、各ボス６ａ，７ａ、８ａの突出方向は、各固定ボルト１４，１５，４５を操作するときに、その場で、仮に保持できるようにするためである。
【００２９】
各固定ボルト１４，１５は、支持フレーム２１の菊座に対面して噛合させたときに対応する長さの雄ネジをつまみの中央から突出して形成している。各固定ボルト１４，１５のつまみは、作業者が治具を使用することなく手指で把持して操作できる直径を有しており、例えば、３０φの直径に形成されている。
【００３０】
つぎに、マルチフォーカスデマンド支持アーム１の作用を図４および図５を参照して説明する。
はじめに、図４に示すように、カメラ撮影装置３０を支持フレーム２１に設置して、マルチフォーカスデマンド支持アーム１をビルドアップカメラユニット２０の支持フレーム２１に固定する。カメラ撮影装置３０をビルドアップカメラユニット２０として使用する場合には、必要な構成を接続して設置することになる。
ビルドアップカメラユニット２０は、三脚２４上の雲台２２に設置された支持フレーム２１と、この支持フレーム２１に装着されるカメラ撮影装置３０と、このカメラ撮影装置３０のレンズカバー３１内に収納されたレンズ（図示せず）と、レンズの焦点距離を操作するフォーカス操作デマンド４０と、カメラ撮影装置３０のビューファインダ２３等を主として備えている。
【００３１】
マルチフォーカスデマンド支持アーム１は、各社メーカによって異なる菊座に対応する必要があり、ここでは、異なる２社のカメラメーカの菊座に対応することができるように構成されている。図４に示すように、マルチフォーカスデマンド支持アーム１のカメラ側第２菊座５が、支持フレーム２１の菊座２１Ａに対応する場合には、カメラ側第１菊座４の第２固定ボルト１４を、そのカメラ側第１菊座４から外して、第２螺合保持部７または第３螺合保持部８のいずれかに螺合して保持させた状態とする。そして、支持フレーム２１の菊座２１Ａにカメラ側第２菊座５を噛合させた状態として第３固定ボルト１５により固定し、マルチフォーカスデマンド支持アーム１を支持フレーム２１に設置する。
【００３２】
つぎに、フォーカス操作デマンド４０の菊座４３と、マルチフォーカスデマンド支持アーム１のデマンド側菊座３とを噛合させて、フォーカス操作デマンド４０側の固定ボルト４５を用いてデマンド側菊座３のボルト穴３ａから螺合することで固定して、フォーカス操作デマンド４０をマルチフォーカスデマンド支持アーム１に設置する。なお、デマンド側菊座３の固定ボルト４５は、フォーカス操作デマンド４０の取付け作業あるいは取り外し作業を行っている途中で、第１螺合保持部６のボス６ａ側から螺合させてその第１螺合保持部６に保持しておくと、作業上都合がよい。
【００３３】
このように、フォーカス操作デマンド４０をマルチフォーカスデマンド支持アーム１に設置するときに、使用しない各固定ボルト１４を各螺合保持部６〜８のいずれかに保持させることで、備品の紛失の原因を最小限に抑えることができ、また、ビルドアップカメラユニット２０により撮影作業をしているときに、マルチフォーカスデマンド支持アーム１の使用していない部品（ここでは、第２固定ボルト１４）が何かに接触して機械的な雑音を発生することも防止している。
【００３４】
また、カメラ撮影装置３０あるいはそのカメラ撮影装置３０のレンズメーカが前記したものと異なるとき、例えば、支持フレーム２１の菊座が、マルチフォーカスデマンド支持アーム１のカメラ側第１菊座４に対応する場合には、つぎのようにしている。
【００３５】
図５に示すように、マルチフォーカスデマンド支持アーム１は、はじめに、第３固定ボルト１５をカメラ側第２菊座５から取り外し、第２螺合保持部７または第３螺合保持部８のいずれかに螺合させて保持させた状態とする。そして、カメラ側第１菊座４と、支持フレーム２１の菊座２１Ｂとを噛合させた状態で第２固定ボルト１４をカメラ側第１菊座４のボルト穴４ａから螺合することで固定してマルチフォーカスデマンド支持アーム１を支持フレーム２１に固定する。さらに、フォーカス操作デマンド４０の菊座４３をデマンド側菊座３に噛合させフォーカス操作デマンド４０に固定ボルト４５により、デマンド側菊座３のボルト穴３ａから螺合して固定することで、マルチフォーカスデマンド支持アーム１にフォーカス操作デマンド４０を設置する。
【００３６】
以上のようにマルチフォーカスデマンド支持アーム１は、カメラメーカが異なることで、支持フレーム２１の菊座２１Ａ，２１Ｂの形状が異なっても対応して支持することが可能となるものである。
なお、マルチフォーカスデマンド支持アーム１は、前記した構成に限定されるものではなく、例えば、図６に示すような構成であっても構わない。なお、図６において、すでに説明した構成は同じ符号を付して説明を省略する。また、図６で説明する各構成は、すでに説明したものと数と配置が異なる場合について説明するため、詳細はすでに説明したものと同等であるため省略する。
【００３７】
図６（ａ）に示すように、マルチフォーカスデマンド支持アーム１Ａは、カメラ側菊座として２つ以上備えており、ここでは、カメラ側第１菊座４Ａ1，カメラ側第２菊座４Ａ2，カメラ側第３菊座４Ａ3の３つを備えている。各カメラ側菊座４Ａ1，４Ａ2，４Ａ3は、ベース板２の長手方向に沿う中心線（図示せず）の左右に所定間隔を空けて配置されている。そして、螺合保持部として第１螺合保持部６Ａ1から第４螺合保持部６Ａ4を、ベース板２の長手方向に沿う中心線（図示せず）の左右に所定間隔を空けた状態で配置している。このように構成されたマルチフォーカスデマンド支持アーム１Ａでは、支持フレーム２１側において３種類のカメラメーカの菊座（図示せず）に対応することが可能となる。
【００３８】
また、図６（ｂ）に示すように、マルチフォーカスデマンド支持アーム１Ｂは、ベース板２Ｂを、デマンド側菊座３Ｂ1、３Ｂ2およびカメラ側第１菊座４、カメラ側第２菊座５の位置が互いに平行となるように形成されている。そして、デマンド側菊座３Ｂ1、３Ｂ2を所定間隔を空けて、並列（ならべて）して配置されている。このマルチフォーカスデマンド支持アーム１Ｂは、デマンド側菊座３Ｂ1、３Ｂ2の形状が互いに異なり、他社メーカにおけるフォーカス操作デマンド４０の菊座（図示せず）が異なる場合に対応して設置できるものとなる。
【００３９】
さらに、図６（ｃ）に示すように、マルチフォーカスデマンド支持アーム１Ｃは、デマンド側菊座３Ｃ1〜３Ｃ3と、カメラ側菊座４Ｃ1〜４Ｃ4と、螺合保持部６Ｃ1〜６Ｃ6とを、所定形状のベース板２Ｃに備えている。また、デマンド側菊座３Ｃ1〜３Ｃ3は、互いに所定間隔を空けてならべて配置されている。また、カメラ側菊座４Ｃ1〜４Ｃ4は、ベース板２Ｃの中央から上と下に２箇所ずつならべて配置されている。なお、ここでは、螺合保持部６Ｃ1，６Ｃ2と、螺合保持部６Ｃ3〜６Ｃ6とは、ベース板２Ｃの反対側（一側面あるいは他側面）にボス（図示せず）をそれぞれ突出するように設置されている。このマルチフォーカスデマンド支持アーム１Ｃは、３種類のフォーカス操作デマンドの菊座（図示せず）に対応することができ、かつ、支持フレーム２１側における４種類のカメラメーカの菊座（図示せず）に対応することができる。
【００４０】
以上説明したように、マルチフォーカスデマンド支持アーム１（１Ａ，１Ｂ，１Ｃ）は、フォーカス操作デマンド４０の操作位置と、支持フレーム２１の菊座２１Ａ（２１Ｂ）の固定位置との間において、各社メーカに合わせて各菊座同士を固定してフォーカス操作デマンド４０を設置することができるものであり、複数本を備えることなく、一本あれば足りる。そのため、備品の管理上においても都合がよい。
【図面の簡単な説明】
【００４１】
【図１】本発明に係るマルチフォーカスデマンド支持アームの全体を示す斜視図である。
【図２】（ａ）、（ｂ）、（ｃ）は、本発明に係るマルチフォーカスデマンド支持アームを示すそれぞれ正面図、平面図、背面図である。
【図３】本発明に係るマルチフォーカスデマンド支持アームを設置した状態を示す斜視図である。
【図４】本発明に係るマルチフォーカスデマンド支持アームを設置する状態を示す分解斜視図である。
【図５】本発明に係るマルチフォーカスデマンド支持アームを設置する状態を示す分解斜視図である。
【図６】（ａ）、（ｂ）、（ｃ）は、本発明に係るマルチフォーカスデマンド支持アームの他の実施形態をそれぞれ示す正面図である。
【図７】従来のフォーカスデマンド支持アームを示す斜視図である。
【符号の説明】
【００４２】
１      マルチフォーカスデマンド支持アーム
２      ベース板
３      デマンド側菊座
４      カメラ側第１菊座（カメラ側菊座）
５      カメラ側第２菊座（カメラ側菊座）
６      第１螺合保持部（螺合保持部）
７      第２螺合保持部（螺合保持部）
８      第３螺合保持部（螺合保持部）
１４    第２固定ボルト（固定ボルト）
１５    第３固定ボルト（固定ボルト）
２０    ビルドアップカメラユニット
２１    支持フレーム
２１Ａ  菊座
２１Ｂ  菊座
３０    カメラ撮影装置
４０    フォーカス操作デマンド
４３    菊座
４４    コネクタ
４５    固定ボルト
【図１】
2006229783.tif 000003
【図２】
2006229783.tif 000004
【図３】
2006229783.tif 000005
【図４】
2006229783.tif 000006
【図５】
2006229783.tif 000007
【図６】
2006229783.tif 000008
【図７】
2006229783.tif 000009